(57)【要約】【課題】  収穫し脱穀した蕎麦の実に混入している砂、埃、ゴミ、石などの夾雑物を簡便かつ効率的に除去する蕎麦の精製装置を提供する。【解決手段】  蕎麦の精製装置１は、収穫し脱穀した蕎麦の実に混入している砂、埃、ゴミ、石などの夾雑物を除去するものである。蕎麦の精製装置１は、蕎麦の実に混入している砂や埃などのように細かい夾雑物を除去する第一次選別部Ａと、第一次選別部Ａで細かい夾雑物を除去した第一次選別物から一定粒大までの蕎麦の実を透過させる第二次選別部Ｂと、第二次選別部Ｂで透過させた第二次選別物から混入している石などの異物を除去して精製された蕎麦の実を得る第三次選別部Ｃからなる。第二次選別部Ｂから排出される選別残留物から蕎麦の実を透過させて第三次選別部Ｃに供給する第四次選別部Ｄを併設してある。【選択図】        図１
2005144364.tif 000002
【特許請求の範囲】
【請求項１】
収穫し脱穀した蕎麦の実に混入している砂、埃、ゴミ、石などの夾雑物を除去する蕎麦の精製装置であって、
蕎麦の実に混入している砂や埃などのように細かい夾雑物を除去する第一次選別部と、
第一次選別部で細かい夾雑物を除去した第一次選別物から一定粒大までの蕎麦の実を透過させる第二次選別部と、
第二次選別部で透過させた第二次選別物から混入している石などの異物を除去して精製された蕎麦の実を得る第三次選別部
からなることを特徴とする蕎麦の精製装置。
【請求項２】
第二次選別部から排出される選別残留物から蕎麦の実を透過させて第三次選別部に供給する第四次選別部を併設したことを特徴とする請求項１記載の蕎麦の精製装置。
【発明の詳細な説明】
【技術分野】
【０００１】
本発明は、収穫し脱穀した蕎麦の実に混入している砂、埃、ゴミ、石などの夾雑物を除去する蕎麦の精製装置に関するものである。
【背景技術】
【０００２】
蕎麦畑から収穫し脱穀した蕎麦の実は、砂、埃、ゴミ、石などの夾雑物が多く混入しているので、脱穀後にそれらの夾雑物を除去するため、ゴミを除くための篩いと風選作業、砂や埃を除くための篩い作業、さらに篩い残った砂や埃、花弁などを除去する磨き作業を要するなど、その精製のための作業が甚だ煩雑である。
【０００３】
従来、蕎麦の実の粒選別装置としては、特開２００３−１２６７７９公報に記載されているものが知られており、また、蕎麦の実に限らず穀類の粒選別装置としては特開平１０−２３５２９５号公報に記載されており、さらに、穀類を選別網筒から透過させて異物を除去する穀類の異物除去方法およびその装置としては、特開平９−２５３５８３号公報に記載されている。
【特許文献１】特開２００３−１２６７７９公報
【特許文献２】特開平１０−２３５２９５号公報
【特許文献３】特開平９−２５３５８３号公報
【発明の開示】
【発明が解決しようとする課題】
【０００４】
前述のように、蕎麦の実の精製作業は甚だ煩雑であることに鑑み、本発明は、その精製のための作業を簡便かつ効率的に行うことができる蕎麦の精製装置を提供することを目的とするものである。
【課題を解決するための手段】
【０００５】
上記目的を達成するための本発明の請求項１に係る蕎麦の精製装置は、収穫し脱穀した蕎麦の実に混入している砂、埃、ゴミ、石などの夾雑物を除去する蕎麦の精製装置であって、蕎麦の実に混入している砂や埃などのように細かい夾雑物を除去する第一次選別部と、第一次選別部で細かい夾雑物を除去した第一次選別物から一定粒大までの蕎麦の実を透過させる第二次選別部と、第二次選別部で透過させた第二次選別物から混入している石などの異物を除去して精製された蕎麦の実を得る第三次選別部からなることを特徴とするものである。
【０００６】
また、本発明の請求項２に係る蕎麦の精製装置は、請求項１の構成において、第二次選別部から排出される選別残留物から蕎麦の実を透過させて第三次選別部に供給する第四次選別部を併設したことを特徴とするものである。
【発明の効果】
【０００７】
本発明に係る蕎麦の精製装置によれば、蕎麦の実に混入している砂や埃などのように細かい夾雑物を除去する第一次選別部と、第一次選別部で細かい夾雑物を除去した第一次選別物から一定粒大までの蕎麦の実を透過させる第二次選別部と、第二次選別部で透過させた第二次選別物から混入している石などの異物を除去して精製された蕎麦の実を得る第三次選別部とで構成されているので、収穫し脱穀した蕎麦の実を第一次選別部に投入するだけで、砂や埃などの細かい夾雑物を除いたうえで蕎麦の実を透過させることができ、次工程の石を除く工程の選別効率が向上する。このため、石を除く工程を経るとそのまま精製された蕎麦の実が得られる。
【０００８】
そのうえ、請求項２のように、第二次選別部から排出される選別残留物から蕎麦の実を透過させて第三次選別部に供給する第四次選別部を併設することにより、排出される異物中に残留する大粒の蕎麦の実も無駄にすることなく回収することができる。
【発明を実施するための最良の形態】
【０００９】
図１は本発明による蕎麦の実の精製装置を示す全体の概略断面図、図２はその選別回転筒の一部破断斜視図、図３は同上断面図、図４は選別回転筒の第一次選別部を示す斜視図、図５は同上一部の詳細斜視図、図６は図５のＸ−Ｘ線詳細断面図、図７は選別回転筒の第二次選別部を示す斜視図、図８は同上一部の詳細斜視図、図９は同上選別態様を示す斜視図、図１０は本発明による蕎麦の実の精製装置の他の実施の形態を示す概略斜視図である。
【００１０】
図１において、１は本発明による蕎麦の実の精製装置である。この蕎麦の実の精製装置１は、蕎麦の実に混入している砂や埃などのように細かい夾雑物を除去する第一次選別部Ａと、第一次選別部Ａで細かい夾雑物を除去した第一次選別物から一定粒大までの蕎麦の実を透過させる第二次選別部Ｂと、第二次選別部Ｂで透過させた第二次選別物から混入している石などの異物を除去して精製された蕎麦の実を得る第三次選別部Ｃからなり、さらに、第二次選別部Ｂから排出される選別残留物から蕎麦の実を透過させて第三次選別部Ｃに供給する第四次選別部Ｄを併設してなるものである。
【００１１】
第一次選別部Ａおよび第二次選別部Ｂは、選別回転筒２で構成されており、選別回転筒２は、その長さ方向の一端側略半分が第一次選別部Ａとなっていて、蕎麦の実に混入してる細かい夾雑物を選別して除去するメッシュの細長孔３を多数形成した多孔状筒体４をなし、かつ、その長さ方向の他端側略半分が第二次選別部Ｂとなっていて、一定粒大までの蕎麦の実を透過させる円形孔５を多数形成した多孔状筒体６をなしている。選別回転筒２内には、軸心に対して１２０°ごとに長さ方向の略全長にわたる撹拌棒７が取り付けられている。多孔状筒体４と多孔筒体６はそれぞれのフランジ部８，８を連結して一体化される。選別回転筒２は第一次選別部Ａ側が傾斜上位、第二次選別部Ｂ側が傾斜下位となるように緩い傾斜角度をもって傾斜させてある。
【００１２】
上記選別回転筒２は機体外装体に軸９，１０により軸支され、一方の軸９は電動機１１に連結されている。１２はホッパであって選別回転筒２の第一次選別部Ａ内に蕎麦の実を供給するためのものである。１３，１３は軸受部、１４は目詰まり防止弾性板である。１５は第二次選別物受樋であって多孔状筒体６の下方に設けられており、多孔状筒体４の下方には第一次選別排出物樋１６が設けられている。また、多孔状筒体６の傾斜下端側に対応して第二次排出物樋１７がそれぞれ設けられている。１８は第一次排出物受部である。
【００１３】
第三次選別部Ｃは、第二次選別物に混入している石などの異物を除去して精製された蕎麦の実を得るための石抜機１９で構成されている。この石抜機１９は、揺動選別部２０および風選別部２１からなり、第二次選別部Ｂの多孔状筒体６から透過された蕎麦の実とそれにともなって透過された夾雑物（主として石）を含む第二次選別物を揺動選別と風選により蕎麦の実と夾雑物とを分離させ、蕎麦の実を精製物樋２２から精製物受部２３に、夾雑物を石排出樋２４から石受部２５にそれぞれ取り出すようになっている。２６は第二次選別物ホッパである。
【００１４】
第四次選別部Ｄは、傾斜選別網体２７からなり、その傾斜下端側には異物受部２８を、下面側には第四次選別物樋２９をそれぞれ設けてあって、第四次選別物樋２９から第三次選別部Ｃの石抜機１９の第二次選別物ホッパ２６に第四次選別物（蕎麦の実）を供給するようになっている。したがって、この第四次選別物の蕎麦の実も第三次選別部Ｃの石抜機１９で石を分離して精製される。
【００１５】
本発明による蕎麦の実の精製装置１は、図１０に示すように構成することができる。すなわち、この構成においては、第一次選別部Ａおよび第二次選別部Ｂと第三次選別部Ｃとの間にバケットコンベア３０を配置して、第二次選別部Ｂ多孔状筒体６から透過された蕎麦の実とそれにともなって透過された夾雑物を含む第二次選別物をバケットコンベア３０により第三次選別部Ｃの石抜機１９に供給するものである。なお、第四次選別部Ｄで選別された蕎麦の実は蕎麦の実受部３１で収集してバケットコンベア３０の投入ホッパ３２に投入する。
【００１６】
本発明による蕎麦の実の精製装置１によれば、第一次選別部Ａの多孔状筒体４に、脱穀された蕎麦の実が投入されると、蕎麦の実に混入している砂や埃などのような細かい夾雑物ｂが、多孔状筒体４のメッシュの細長孔３から排除され、蕎麦の実ａが石などのように比較的大きい夾雑物ｃを含んだまま多孔状筒体４内に残留し、それが第一次選別物として第二次選別部Ｂの多孔状筒体６に移動する。そして多孔状筒体６では、一定粒大までの蕎麦の実を透過させる円形孔５から蕎麦の実ａが石などの比較的大きい夾雑物ｃをともなって透過し、それが第二次選別物として第三次選別部Ｃの石抜機１９に供給され、そこで蕎麦の実に混入している比較的大きい石などの夾雑物が除かれ、精製された蕎麦の実が得られる。
【００１７】
一方、第二次選別部Ｂの多孔状筒体６内に残った選別残留物は、その多孔状筒体６から透過しなかった大粒の蕎麦の実を含んでいるが、それらは第四次選別部Ｄの傾斜選別網体２７上を流下する過程で蕎麦の実が、網目を透過する大きさの夾雑物をともなって透過して第三次選別部Ｃの石抜機１９に供給され、精製された蕎麦の実として回収される。
【産業上の利用可能性】
【００１８】
本発明による蕎麦の精製装置は、収穫し脱穀した蕎麦の実が砂、埃などの細かい夾雑物および石などの大きい夾雑物を多く含んでいても、それの夾雑物を簡便な作業でしかも効率的に除去して精製された蕎麦の実を得ることができる優れたものであるが、この精製装置は、蕎麦の実の精製だけに限らず、大豆や小豆、トウモロコシ、あるいはコーヒー豆の精製など広範囲の利用が可能である。
【図面の簡単な説明】
【００１９】
【図１】本発明による蕎麦の実の精製装置を示す全体の概略断面図である。
【図２】同上蕎麦の実の精製装置における選別回転筒の一部破断斜視図である。
【図３】図２同上断面図である。
【図４】選別回転筒の第一次選別部を示す斜視図である。
【図５】同上一部の詳細斜視図である。
【図６】図５のＸ−Ｘ線詳細断面図である。
【図７】選別回転筒の第二次選別部を示す斜視図である。
【図８】同上一部の詳細斜視図である。
【図９】同上選別態様を示す詳細断面図である。
【図１０】本発明による蕎麦の実の精製装置の他の実施の形態を示す概略断面図である。
【符号の説明】
【００２０】
Ａ  第一次選別部
Ｂ  第二次選別部
Ｃ  第三次選別部
Ｄ  第四次選別部
１  蕎麦の実の精製装置
２  選別回転筒
３  メッシュの細長孔
４  多孔状筒体
５  円形孔
６  多孔状筒体
７  撹拌棒
８，８  フランジ部
９，１０  軸
１１  電動機
１２  ホッパ
１３，１３  軸受部
１４  目詰まり防止弾性板
１５  第二次選別物受樋
１６  第一次選別排出物樋
１７  第二次排出物樋
１８  第一次排出物受部
１９  石抜機
２０  揺動選別部
２１  風選別部
２２  精製物樋
２３  精製物受部
２４  石排出樋
２５  石受部
２６  第二次選別物ホッパ
２７  傾斜選別網体
２８  異物受部
２９  第四次選別物樋
３０  バケットコンベア
３１  蕎麦の実受部
３２  投入ホッパ
ａ  蕎麦の実
ｂ  細かい夾雑物
ｃ  比較的大きい夾雑物
【図１】
2005144364.tif 000003
【図２】
2005144364.tif 000004
【図３】
2005144364.tif 000005
【図４】
2005144364.tif 000006
【図５】
2005144364.tif 000007
【図６】
2005144364.tif 000008
【図７】
2005144364.tif 000009
【図８】
2005144364.tif 000010
【図９】
2005144364.tif 000011
【図１０】
2005144364.tif 000012